(57)【要約】      （修正有）【課題】自転車の運転中に、雨除け、日除けになり、かつ、自転車の操作性を損うことが少ない自転車用テントを提供する。【解決手段】屈曲自在なガラス入りプラスチックパイプを自転車の前部荷持カゴと後部荷持カゴの間、半円形に二本渡して、これを支柱３として、この二本の支柱の間にテントを張り屈曲自在なパイプの効果で、自転車の操作性が損なわれることなく雨除け効果を有効にするようにして自転車用テントを構成する。【選択図】図１
0003155582.tif 000002
【実用新案登録請求の範囲】
【請求項１】
屈曲自在なガラス入りプラスチックパイプを自転車の前部荷持カゴと後部荷持カゴの間、半円形に二本渡してテントを張り屈曲自在なパイプの効果で、自転車の操作性が損なわれることなく目的の雨除け効果を有効にすることを特徴とする
【請求項２】
自転車のハンドル操作（左右）による支柱の歪がテントの張具合いに影響を最小にするため支柱の前後の間隔をＶ字状にして傾斜をつけ天井部分を最大にした、支柱前後と天井部分に差をつけたことを特徴とする。
【請求項３】
二本の柱がハンドル操作によって歪むのが風防に与える影響を最小に留める為、柱と風防の取り付け方をゴム紐編みで取り付けた、これによって左右の柱の歪みを吸収できることを特徴とする。
【請求項４】
支柱末端固定方法は、前後の荷物カゴを利用して支柱末端固定パイプ４本を束線バンドで、柱の傾斜角にしたがって取り付ける、テント取り付け、取り外しはこのパイプよりの抜き、刺しによって行えることを特徴とする。
【請求項５】
支柱の構成はパイプ状の屈曲自在なガラス入り部材で、適当の長さの数本から成り立ち、その連結はお互いに差込で構成され、パイプの構造は中空になってゴム紐が柱全体に貫通しており、撤収の時、折り畳めばよい、同時にテント部分も折り畳むことなど、組立、撤収作業が簡単なのを特徴とする。
【請求項６】
収納ケースは風防のサイズが最小のサイズになることを特徴とする。
【考案の詳細な説明】
【技術分野】
【０００１】この考案は、自転車の雨除け、日除けに関する装置である。
【背景技術】
【０００２】従来自転車の乗っての雨よけは雨具が主で、合羽、傘であったが、傘をさしながらの走行は危険であり、交通法規で禁止されている、よって、安定して運転でき雨除け、日除けになるテントを自転車の幅と長さ以内で天上部にテントを張り自転車の操作性を損なわずに目的を達成させるものである。
【考案の開示】
【考案が解決しようとする課題】
【０００３】しかしながら、以上の技術によれば、テントを張る、屋根を設ける等の煩雑性があった、そこで、この考案はテントの取り付け。取り外し方法を簡単に行える装置を提供する。、
【課題を解決するための手段】
【０００４】  以上の課題を解決するために、第一考案は、前部荷物カゴ、後部荷物カゴにテントの支柱支持パイプを常設してテントの支柱をパイプに差し込むだけでテント張りを完成する装置を提供することを特徴とする。また、第二考案は屈曲自在なガラス入りプラスチックパイプを自転車の前部荷持カゴと後部荷持カゴの間、半円形に二本渡してテントを張り屈曲自在なパイプの効果で、自転車の操作性が損なわれることなく目的の雨除け効果を有効にすることを特徴とする。
【考案の効果】
【０００５】第一考案、第二考案によれば自転車の安全な運連が確保でき、尚かつ雨除け、日除け効果がある。
【考案を実施するための最良の形態】
【０００６】  この考案の一実施形態を図１示す。自転車は前部荷物カゴ、後部荷物カゴを標準装備している自転車を対象にしており。いずれかない場合、追加装着を必要とする。【０００７】「実施形態の効果」
この実施形態によれば、風防のアクリル板に紫外線除けシールを張って紫外線の防止効果を狙った【０００８】「他の実施形態」
図１の実施形態では、一人乗りの自転車を対象とするが、図２の実施形態では後部に子供用のシートを装着して同じ目的を達成させたものでも良い。
【図面の簡単な説明】
【０００９】
【図１】テント装着自転車斜視図
【図２】テント装着子供協用自転車斜視図
【符号の説明】
【００１０】１  支柱支持筒  １０Φアルミ×２０ｃｍ  ４本
２  風防  アクリル板１ｍｍ×４０×６０ｃｍ
３  支柱  プラスチックガラス入りパイプ、アルミパイプガイド付き  ５×６０ｃｍ  パイプ貫通ゴム  ２本
４  鳩目  ５ｍｍ×２４個
５  風防、支柱巻きつけゴム  ２ｍ
６  支柱連結パイプ  １０ｍｍ×６ｃｍ  １０個
７  テント地袋縫い
８  テント地
９  テント地と風防、接合マジックテープ
１０  テント横張りパイプ
１１  束線バンド（支柱支持筒１本に２箇所で荷物カゴに固定）×４箇所  ８本
１２  子供用テント支柱連結パイプ  ２個
【図１】
0003155582.tif 000003
【図２】
0003155582.tif 000004
【手続補正書】
【提出日】平成20年9月20日(2008.9.20)
【手続補正１】
【補正対象書類名】実用新案登録請求の範囲
【補正対象項目名】全文
【補正方法】変更
【補正の内容】
【実用新案登録請求の範囲】
【請求項１】
屈曲自在なガラス入りプラスチックパイプを自転車の前部荷持カゴと後部荷持カゴの間、半円形に二本渡してテントを張り屈曲自在なパイプの効果で、自転車の操作性が損なわれることなく目的の雨除け効果を有効にすることを特徴とする自転車用テント。
【請求項２】
自転車のハンドル操作の左回転、右回転よって生ずる二本の支柱の歪がテントの張具合いに影響を与えることを最小にするため前部荷物カゴの二本の柱の末端の間隔をＶ字状に傾斜をつけ天井部分を最大にした、支柱前後と天井部分に差をつけたことを特徴とする自転車用テント。
【請求項３】
二本の支柱がハンドル操作によって歪むのが風防に与える影響を最小に留める為、支柱に風防を取り付ける方法をゴム紐編みで取り付けた、これによって左右の柱の歪みを吸収できることを特徴とする自転車用テント。
【請求項４】
支柱末端固定方法は、前後の荷物カゴを利用して支柱末端固定パイプ４本を束線バンドで、支柱の傾斜角にしたがって取り付ける、テント取り付け、取り外しはこのパイプよりの抜き、刺しによって行えることを特徴とする自転車用テント。
【請求項５】
支柱の構成はパイプ状の屈曲自在なガラス入り部材で、適当の長さの数本から成り立ち、その連結はお互いに差込で構成され、パイプの構造は中空になってゴム紐が柱全体に貫通しており、撤収の時、折り畳めばよい、同時にテント部分も折り畳むことなど、組立、撤収作業が簡単なのを特徴とする自転車用テント。
【請求項６】
収納ケースは風防のサイズが最小のサイズになることを特徴とする自転車用テント。
【手続補正２】
【補正対象書類名】明細書
【補正対象項目名】００１０
【補正方法】変更
【補正の内容】
【００１０】１  支柱支持筒  １０Φアルミ×２０ｃｍ  ４本
２  風防  アクリル板  １ｍｍ×４０×６０ｃｍ
３  支柱  プラスチックガラス入りパイプ、アルミパイプガイド付き
５×６０ｃｍ  パイプ貫通ゴム  ２本
４  鳩目  ５ｍｍ×２４個
５  風防、支柱巻きつけゴム  ２ｍ
６  支柱連結パイプ    １０ｍｍ×６ｃｍ  １０個
７  テント地袋縫い
８  テント地
９  テント地と風防、接合マジックテープ（登録商標）
１０  テント横張りパイプ
１１  束線バンド（支柱支持筒１本に２箇所で荷物カゴに固定）×４箇所  ８本
１２  子供用テント支柱連結パイプ  ２個
【手続補正書】
【提出日】平成20年12月12日(2008.12.12)
【手続補正１】
【補正対象書類名】実用新案登録請求の範囲
【補正対象項目名】全文
【補正方法】変更
【補正の内容】
【実用新案登録請求の範囲】
【請求項１】
屈曲自在なガラス入りプラスチックパイプを自転車の前部荷持カゴと後部荷持カゴの間、半円形に二本渡してテントを張り屈曲自在なパイプの効果で、自転車の操作性が損なわれることなく目的の雨除け効果を有効にすることを特徴とする自転車用テント。
【請求項２】
自転車のハンドル操作の左回転、右回転よって生ずる二本の支柱の歪がテントの張具合いに影響を与えることを最小にするため前部荷物カゴの二本の柱の末端の間隔をＶ字状に傾斜をつけ天井部分を最大にした、支柱前後と天井部分に差をつけたことを特徴とする請求項１記載の自転車用テント。
【請求項３】
二本の支柱がハンドル操作によって歪むのが風防に与える影響を最小に留める為、支柱に風防を取り付ける方法をゴム紐編みで取り付けた、これによって左右の柱の歪みを吸収できることを特徴とする請求項１記載の自転車用テント。
【請求項４】
支柱末端固定方法は、前後の荷物カゴを利用して支柱末端固定パイプ４本を束線バンドで、支柱の傾斜角にしたがって取り付ける、テント取り付け、取り外しはこのパイプよりの抜き、刺しによって行えることを特徴とする請求項１記載の自転車用テント。
【請求項５】
支柱の構成はパイプ状の屈曲自在なガラス入り部材で、適当の長さの数本から成り立ち、その連結はお互いに差込で構成され、パイプの構造は中空になってゴム紐が柱全体に貫通しており、撤収の時、折り畳めばよい、同時にテント部分も折り畳むことなど、組立、撤収作業が簡単なのを特徴とする請求項１記載の自転車用テント。
【請求項６】
収納ケースは風防のサイズが最小のサイズになることを特徴とする請求項１記載の自転車用テント。
【手続補正書】
【提出日】平成21年4月7日(2009.4.7)
【手続補正１】
【補正対象書類名】実用新案登録請求の範囲
【補正対象項目名】全文
【補正方法】変更
【補正の内容】
【実用新案登録請求の範囲】
【請求項１】
屈曲自在なガラス入りプラスチックパイプを自転車の前部荷持カゴと後部荷持カゴの間、半円形に二本渡して、これを支柱として、この二本の支柱の間にテントを張り屈曲自在なパイプの効果で、自転車の操作性が損なわれることなく目的の雨除け効果を有効にすることを特徴とする自転車用テント。
【請求項２】
自転車のハンドル操作の左回転、右回転よって生ずる二本の支柱の歪がテントの張具合いに影響を与えることを最小にするため前部荷物カゴ、及び後部荷物カゴの二本の支柱の末端の間隔をＶ字状に傾斜をつけ天井部分を最大にした、支柱前後と天井部分に差をつけたことを特徴とする請求項１記載の自転車用テント。
【請求項３】
二本の支柱がハンドル操作によって歪むのが風防に与える影響を最小に留める為、支柱に風防を取り付ける方法をゴム紐編みで取り付けた、これによって左右の支柱の歪みを吸収できることを特徴とする請求項１記載の自転車用テント。
【請求項４】
支柱末端固定方法は、支柱支持筒、パイプ４本を束線バンドで、前部荷物カゴ、後部荷物カゴに取り付ける、テント取り付け、取り外しは、この支柱支持筒から支柱を、抜き、刺しによって行えることを特徴とする請求項１記載の自転車用テント。
【請求項５】
支柱の構成はパイプ状の屈曲自在なガラス入り部材で、適当の長さの数本から成り立ち、その連結はお互いに支柱連結パイプに差込みで構成され、支柱はパイプの構造で中空になってゴム紐が貫通しており、撤収の時、支柱を支柱支持筒から取り外し折り畳めばよい、同時にテント部分も折り畳むことなど、組立、撤収作業が簡単なのを特徴とする請求項１記載の自転車用テント。
【手続補正書】
【提出日】平成21年7月14日(2009.7.14)
【手続補正１】
【補正対象書類名】実用新案登録請求の範囲
【補正対象項目名】全文
【補正方法】変更
【補正の内容】
【実用新案登録請求の範囲】
【請求項１】
屈曲自在なガラス入りプラスチックパイプを自転車の前部荷持カゴと後部荷持カゴの間、半円形に二本渡して、これを支柱として、この二本の支柱の間にテントを張り屈曲自在なパイプの効果で、自転車の操作性が損なわれることなく目的の雨除け効果を有効にすることを特徴とする自転車用テント。
【請求項２】
自転車のハンドル操作の左回転、右回転によって生ずる二本の支柱の歪がテントの張具合いに影響を与えることを最小にするため前部荷物カゴ、及び後部荷物カゴの二本の支柱の末端の間隔をＶ字状に傾斜をつけ天井部分を最大にした、支柱前後と天井部分に差をつけたことを特徴とする請求項１記載の自転車用テント。